(57)【要約】【課題】対象室の内部に対する外部空気の流入による負荷の増大化を抑制して、省エネルギー化を図ること。【解決手段】店舗１の内部に外部空気を供給する給気装置４０を備え、店舗１の内部と外部との差圧に応じて給気装置４０を駆動させる給気システムであって、店舗１には、該店舗１の内部空気を外部に排出する排気装置２０ａ，２０ｂが設けられており、給気装置４０は、外部空気を店舗１の内部に吹き出させる給気口４３ａ，４３ｂが、排気装置２０ａ，２０ｂによる店舗１の内部空気を導入する導入口２３ａ，２３ｂの近傍に配設されている。給気装置４０は、給気口４３ａ，４３ｂが、店舗１の内部空気の空気調節を行う空調装置１０の空気吹出口１１ａよりも導入口２３ａ，２３ｂに近接する態様で配設されていることが好ましい。【選択図】図１
2020125879.tif 000002
【特許請求の範囲】
【請求項１】
対象室の内部に外部空気を供給する給気手段を備え、前記対象室の内部と外部との差圧に応じて前記給気手段を駆動させる給気システムであって、
前記対象室には、該対象室の内部空気を外部に排出する排気手段が設けられており、
前記給気手段は、前記外部空気を前記対象室の内部に吹き出させる給気口が、前記排気手段による前記対象室の内部空気を導入する導入口の近傍に配設されたことを特徴とする給気システム。
【請求項２】
前記給気手段は、前記給気口が、前記対象室の内部空気の空気調節を行う空調装置の空気吹出口よりも前記導入口に近接する態様で配設されたことを特徴とする請求項１に記載の給気システム。
【請求項３】
前記給気手段は、前記排気手段が複数設けられている場合、前記内部空気の排出量が最も大きい排気手段の導入口の近傍に、前記給気口が配設されたことを特徴とする請求項１又は請求項２に記載の給気システム。
【発明の詳細な説明】
【技術分野】
【０００１】
本発明は、給気システムに関するものである。
【背景技術】
【０００２】
従来、例えば店舗のような室には、排気手段及び給気システムが設けられている。排気手段は、店舗の内部空気を外部に排出するものである。給気システムは、給気手段と差圧検知手段とを備えている。給気手段は、店舗の内部に外部空気を供給するものである。差圧検知手段は、店舗の内部と外部との差圧を検知するものである。
【０００３】
このような給気システムでは、差圧検知手段の検知結果により、店舗の内部の圧力が店舗の外部の圧力（大気圧）と同等になるよう、若しくは店舗の内部の圧力が店舗の外部の圧力（大気圧）よりも大きくなるよう、給気手段を駆動させている（例えば、特許文献１参照）。
【先行技術文献】
【特許文献】
【０００４】
【特許文献１】特開２００１−１５３４４１号公報
【発明の概要】
【発明が解決しようとする課題】
【０００５】
ところで、上述した給気システムにおいて、給気手段により外部空気を店舗の内部に吹き出させる給気口は任意の個所に設置することができる。そのため、外部空気が店舗の内部に吹き出されることにより、外部空気のエンタルピが店舗の内部に流入され、店舗の内部空気の空気調節を行う空調装置や、店舗の内部に配設されたショーケース等の商品収納装置の負荷の増大化を招来し、結果的に、消費エネルギーが増大する虞れがあった。
【０００６】
本発明は、上記実情に鑑みて、対象室の内部に対する外部空気の流入による負荷の増大化を抑制して、省エネルギー化を図ることができる給気システムを提供することを目的とする。
【課題を解決するための手段】
【０００７】
上記目的を達成するために、本発明に係る給気システムは、対象室の内部に外部空気を供給する給気手段を備え、前記対象室の内部と外部との差圧に応じて前記給気手段を駆動させる給気システムであって、前記対象室には、該対象室の内部空気を外部に排出する排気手段が設けられており、前記給気手段は、前記外部空気を前記対象室の内部に吹き出させる給気口が、前記排気手段による前記対象室の内部空気を導入する導入口の近傍に配設されたことを特徴とする。
【０００８】
また本発明は、上記給気システムにおいて、前記給気手段は、前記給気口が、前記対象室の内部空気の空気調節を行う空調装置の空気吹出口よりも前記導入口に近接する態様で配設されたことを特徴とする。
【０００９】
また本発明は、上記給気システムにおいて、前記給気手段は、前記排気手段が複数設けられている場合、前記内部空気の排出量が最も大きい排気手段の導入口の近傍に、前記給気口が配設されたことを特徴とする。
【発明の効果】
【００１０】
本発明によれば、給気手段は、外部空気を対象室の内部に吹き出させる給気口が、排気手段による対象室の内部空気を導入する導入口の近傍に配設されているので、給気口より吹き出された外部空気は、その大部分が対象室の内部を循環することなく、導入口を通じて排気手段により外部に排出される。つまり、給気手段を通じて対象室の内部に吹き出され、該内部を循環する空気量を低減させることができ、該内部における外部空気の侵入量を低減することができる。このように対象室の内部における外部空気の侵入量を低減することができるので、外部空気のエンタルピの流入量を低減することができる。これにより、内部空気の安定化を図ることができるとともに、対象室における各機器の熱負荷を減少させることができ、対象室の内部に対する外部空気の流入による負荷の増大化を抑制して、省エネルギー化を図ることができるという効果を奏する。
【図面の簡単な説明】
【００１１】
【図１】図１は、本発明の実施の形態である給気システムを模式的に示す模式図である。
【発明を実施するための形態】
【００１２】
以下に添付図面を参照して、本発明に係る給気システムの好適な実施の形態について詳細に説明する。
【００１３】
図１は、本発明の実施の形態である給気システムを模式的に示す模式図である。ここで例示する給気システムは、例えばコンビニエンスストアやスーパーマーケット等の店舗１を対象室とするものである。かかる店舗１には、空調装置１０及び排気装置（排気手段）２０ａ，２０ｂが設けられている。
【００１４】
空調装置１０は、店舗１の内部（以下、店内ともいう）の空気（以下、内部空気ともいう）の温度・湿度や清浄度などを調節し、快適な状態に保つものであり、室内機１１を備えている。室内機１１は、店内の天井等に設置されており、店舗１の外部（以下、店外ともいう）に設置された室外機１２と冷媒管路１３を通じて接続されている。このような空調装置１０では、室内機１１と室外機１２との間で冷媒が、圧縮、凝縮、断熱膨張及び蒸発を繰り返しながら循環することにより、内部空気の温度等を調整している。尚、ここでは、空調装置１０は、内部空気を冷却するものであり、室内機１１には、複数（例えば４つ）の空気吹出口１１ａが設けられている。
【００１５】
また上記店舗１には、図には明示しないが、外壁２の一部には顧客等のための出入口が形成されており、店内には、食物の調理を行う調理領域や、例えばショーケース等の商品収納装置が設置されている。
【００１６】
排気装置２０ａ，２０ｂは、複数（図示の例では２つ）設けられており、互いに離隔した個所において、排気流路２１ａ，２１ｂを備えている。排気流路２１ａ，２１ｂは、店内と店外とを連通する態様で設けられており、その途中に排気ファン２２ａ，２２ｂが配設されている。排気ファン２２ａ，２２ｂは、店舗１の換気や臭気等の排出を目的として店舗１に設置された操作部（図示せず）が操作されることにより、駆動するものである。このような排気装置２０ａ，２０ｂは、排気ファン２２ａ，２２ｂが駆動する場合に、排気流路２１ａ，２１ｂの導入口２３ａ，２３ｂより内部空気を導入し、排気流路２１ａ，２１ｂを通過させた後に店外に排出させるものである。
【００１７】
尚、上記排気装置２０ａ，２０ｂは、店内と店外とを連通する排気流路２１ａ，２１ｂを備えるものとして説明したが、排気装置２０ａ，２０ｂは、店舗（対象室）１の外壁２に形成された排気孔に対し、換気扇と称される排気ファンを設置して構成されるものであってもよい。この場合、排気孔における店内を臨む開口が導入口となり、排気ファンの駆動により、導入口より内部空気を導入し、店外に排出することになる。
【００１８】
給気システムは、差圧検知装置３０、給気装置（給気手段）４０及び制御部５０を備えて構成されている。差圧検知装置３０は、差圧検知用ダクト３１及び差圧検知部３２を備えている。
【００１９】
差圧検知用ダクト３１は、店内と店外とを連通する態様で設置されている。この差圧検知用ダクト３１は、一端の開口３３が店内を臨み、他端の開口３４が店外を臨んでいる。かかる差圧検知用ダクト３１は、自身の軸方向に沿って空気を流通させるものである。
【００２０】
差圧検知部３２は、差圧検知用ダクト３１の任意の個所に配設してあり、店内と店外との差圧を検知するものである。この差圧検知部３２は、検知結果を差圧信号として制御部５０に与えるものである。
【００２１】
給気装置４０は、給気流路４１を備えている。給気流路４１は、店内と店外とを連通する態様で設けられており、一端が店外を臨んで外気導入口４２が設けられており、途中で２つに分岐されてそれぞれの他端が店内を臨んで給気口４３ａ，４３ｂが設けてある。また給気流路４１において、外気導入口４２と分岐個所との間には、給気ファン４４が配設されている。給気ファン４４は、制御部５０から与えられる指令に応じて駆動するものである。
【００２２】
このような給気装置４０は、給気ファン４４が駆動する場合に、外気導入口４２より外部空気を導入し、給気流路４１を通過させた後に給気口４３ａ，４３ｂより店内に吹き出させるものである。そして、給気装置４０においては、給気口４３ａ，４３ｂは、排気装置２０ａ，２０ｂの導入口２３ａ，２３ｂの近傍に配設されている。
【００２３】
より詳細には、給気口４３ａは、空調装置１０の空気吹出口１１ａよりも導入口２３ａに近接する態様で配設してあり、給気口４３ｂは、空調装置１０の空気吹出口１１ａよりも導入口２３ｂに近接する態様で配設されている。
【００２４】
制御部５０は、図示せぬ記憶部に記憶されたプログラムやデータにしたがって給気システムの各部の動作を統括的に制御するものである。より詳細には、制御部５０は、差圧検知部３２から与えられた差圧信号により、店内の圧力が店外の圧力（大気圧）と同等となるよう、あるいは店内の圧力が店外の圧力よりも大きくなるよう、給気装置４０（主に給気ファン４４）を駆動させるものである。
【００２５】
尚、制御部５０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２６】
以上のような構成を有する給気システムにおいては、排気装置２０が駆動している条件下にて、制御部５０が、差圧検知部３２から与えられた差圧信号により、店内の圧力が店外の圧力（大気圧）と同等となるよう、あるいは店内の圧力が店外の圧力よりも大きくなるよう、給気ファン４４を駆動させることにより、外気導入口４２より導入された店外の外部空気は、給気流路４１を通過し、給気口４３ａ，４３ｂより店内に吹き出される。
【００２７】
そして、給気口４３ａが、空調装置１０の空気吹出口１１ａよりも導入口２３ａに近接する態様で配設してあり、給気口４３ｂが、空調装置１０の空気吹出口１１ａよりも導入口２３ｂに近接する態様で配設されているので、給気口４３ａより吹き出された外部空気は、その大部分が店内を循環することなく、導入口２３ａを通じて排気流路２１ａに導入されて店外に排出され、給気口４３ｂより吹き出された外部空気は、その大部分が店内を循環することなく、導入口２３ｂを通じて排気流路２１ｂに導入されて店外に排出される。
【００２８】
つまり、給気装置４０を通じて店内に吹き出され、該店内を循環する空気量を低減させることができ、店内における外部空気の侵入量を低減することができる。
【００２９】
以上説明したように、本発明の実施の形態である給気システムによれば、店内における外部空気の侵入量を低減することができるので、外部空気のエンタルピの流入量を低減することができる。これにより、内部空気の安定化を図ることができ、空調装置１０による空調の熱負荷、並びに商品収納装置による熱負荷を減少させることができる。具体的には、外部空気の侵入削減量に、外部空気と内部空気とのエンタルピ差を乗算した分だけ空調の熱負荷を減少させることができるとともに、商品収納装置が冷却運転時に巻き込んでしまう巻き込み量の削減量に、外部空気と内部空気とのエンタルピ差を乗算した分だけ熱負荷を減少させることができる。その結果、店内に対する外部空気の流入による負荷の増大化を抑制して、省エネルギー化を図ることができる。
【００３０】
以上、本発明の好適な実施の形態について説明したが、本発明はこれに限定されるものではなく、種々の変更を行うことができる。
【００３１】
上述した実施の形態では、給気装置４０を構成する給気流路４１が、途中で分岐されており、各給気口４３ａ，４３ｂが排気装置２０ａ，２０ｂの導入口２３ａ，２３ｂの近傍に配設されていたが、本発明においては、給気口が、１つであってもよく、いずれかの導入口２３ａ，２３ｂの近傍に配設されてもよい。また、複数の排気装置２０ａ，２０ｂにおいて、例えば排気装置２０ｂの空気の排出量が排気装置２０ａの空気の排出量よりも大きい場合、給気口が、排気装置２０ｂの導入口２３ｂの近傍に配設されていることが好ましい。
【符号の説明】
【００３２】
１  店舗
１０  空調装置
１１  室内機
１１ａ  空気吹出口
１２  室外機
１３  冷媒管路
２０ａ，２０ｂ  排気装置
２１ａ，２１ｂ  排気流路
２２ａ，２２ｂ  排気ファン
２３ａ，２３ｂ  導入口
３０  差圧検知装置
３１  差圧検知用ダクト
３２  差圧検知部
４０  給気装置
４１  給気流路
４２  外気導入口
４３ａ，４３ｂ  給気口
４４  給気ファン
５０  制御部
【図１】
2020125879.tif 000003